(57)【特許請求の範囲】
【請求項１】
用紙がセットされる用紙トレイを備えた給紙カセットの引き出し方向後半部に、用紙を記録部へ給送する給送経路を備えた給紙機構が配置されて、前記給紙カセットを装置本体の収納スペースから引き出したときに、前記給紙カセットとともに前記給紙機構が引き出し可能とされる給紙装置であって、
前記給紙カセットを前記収納スペースから引き出すときには、前記用紙トレイが引き出され、且つ前記給紙機構が前記装置本体内に収納された状態の第１段階の引き出し位置で前記給紙カセットを手前に引き出せないように規制するとともに、規制解除操作により、前記給紙カセットを、前記給紙機構が前記装置本体の前面よりも前方へ引き出された状態の第２段階の引き出し位置まで引き出し可能とし、前記給紙カセットを前記第２段階の引き出し位置から押し込むときには、前記第１段階の引き出し位置で規制することなくそのまま前記給紙カセットを押し込める、ストッパ機構を備えたことを特徴とする給紙装置。
【請求項２】
前記ストッパ機構は、
前面を有する爪部と、
後面を有し、該後面と前記爪部の前面とが係合することで前記給紙カセットの引き出しを規制する突片と、
前記突片の後面と、前記爪部の前面との係合を解除する操作レバーと、
を備え、
前記操作レバーは、前記爪部の前面と前記突片の後面とが係合するときに、前記爪部と対向する位置に配置される押圧部を具備して、
前記爪部の前面と前記突片の後面との係合を解除するときには、前記操作レバーの操作により前記押圧部で前記爪部を押圧して、前記爪部の前面を、前記突片の後面に対して押すことで、係合を解除することを特徴とする請求項１に記載の給紙装置。
【請求項３】
前記ストッパ機構は、
前面を有する爪部と、
後面を有し、該後面と前記爪部の前面とが係合することで前記給紙カセットの引き出しを規制する突片と、
前記突片の後面と、前記爪部の前面との係合を解除する操作レバーと、
を備え、
前記爪部と前記操作レバーとは連結される構成で、
前記爪部の前面と前記突片の後面との係合を解除するときには、前記操作レバーの操作により、前記爪部の前面を、前記突片の後面に対して引くことで、係合を解除することを特徴とする請求項１に記載の給紙装置。
【発明の詳細な説明】
【０００１】
【発明の属する技術分野】
本発明は、用紙がセットされる用紙トレイを備えた給紙カセットと、用紙を記録部へ給送する給送経路を備えた給紙機構と、を有し、前記給紙機構は前記給紙カセットの引き出し方向後半部に配置されて、前記給紙カセットを装置本体の収納スペースから引き出したときに、前記給紙カセットとともに前記給紙機構が引き出し可能とされる給紙装置に関する。
【０００２】
【従来の技術】
従来から、コピー・ファクシミリ複合機や複写機といったような画像読取装置においては、堆積された用紙を繰り出して給紙する給紙装置は、上下方向に複数段の給紙カセットを設けて構成されていた。
そして、給紙ローラ、用紙給送経路等から成る給紙機構は、装置本体に設けられ、前記給紙カセットのみが前方へ引き出される構成であった。
この給紙機構の用紙給送経路は、装置本体背面側（後面側）に形成され、該用紙搬送経路を通じてその上方の記録部へ用紙が供給されるのであった。すなわち、この構成では、該用紙搬送経路は、給紙カセットのさらに後方側に形成されており、この用紙搬送経路にてジャムが発生した場合、装置背面側に設けた扉を開けて該経路を開放し、ジャム解除を行っていた。
【０００３】
【発明が解決しようとする課題】
しかしながら、前記用紙搬送経路でジャムが発生した場合には、装置背面側からメンテナンスをしなければならないとなると、そのことを考慮して、画像読取装置の設置スペースを確保しなければならない。一方、オフィス等においては、その有効スペースにも限りがあり、そのため該画像読取装置は壁際等の空きスペースに設置されることも多く、この場合、前記用紙搬送経路でジャムが発生すると、装置本体自体を移動させなければならなかった。そうして、ユーザーは装置後方に回り込めるだけのスペースを確保した上で、ジャム処理作業を行うのであるが、ジャムが発生する度に、装置本体を移動させるとなると、ユーザーにとっては煩わしいものである。
そこで、上記問題点の少なくとも一つを解決すべく、給紙装置でジャムが発生した場合等、装置前方側からのメンテナンスが可能な給紙装置を提供することを課題とする。
【０００４】
本発明は以上のような課題を解決すべく、次のような手段を用いるものである。
すなわち、請求項１に記載の如く、用紙がセットされる用紙トレイを備えた給紙カセットの引き出し方向後半部に、用紙を記録部へ給送する給送経路を備えた給紙機構が配置されて、前記給紙カセットを装置本体の収納スペースから引き出したときに、前記給紙カセットとともに前記給紙機構が引き出し可能とされる給紙装置であって、前記給紙カセットを前記収納スペースから引き出すときには、前記用紙トレイが引き出され、且つ前記給紙機構が前記装置本体内に収納された状態の第１段階の引き出し位置で前記給紙カセットを手前に引き出せないように規制するとともに、規制解除操作により、前記給紙カセットを、前記給紙機構が前記装置本体の前面よりも前方へ引き出された状態の第２段階の引き出し位置まで引き出し可能とし、前記給紙カセットを前記第２段階の引き出し位置から押し込むときには、前記第１段階の引き出し位置で規制することなくそのまま前記給紙カセットを押し込める、ストッパ機構を備えた構成とする。
【０００７】
また、請求項２に記載の如く、前記ストッパ機構は、前面を有する爪部と、後面を有し、該後面と前記爪部の前面とが係合することで前記給紙カセットの引き出しを規制する突片と、前記突片の後面と、前記爪部の前面との係合を解除する操作レバーと、を備え、前記操作レバーは、前記爪部の前面と前記突片の後面とが係合するときに、前記爪部と対向する位置に配置される押圧部を具備して、前記爪部の前面と前記突片の後面との係合を解除するときには、前記操作レバーの操作により前記押圧部で前記爪部を押圧して、前記爪部の前面を、前記突片の後面に対して押すことで、係合を解除する構成とする。
【０００８】
または、請求項３に記載の如く、前記ストッパ機構は、前面を有する爪部と、後面を有し、該後面と前記爪部の前面とが係合することで前記給紙カセットの引き出しを規制する突片と、前記突片の後面と、前記爪部の前面との係合を解除する操作レバーと、を備え、前記爪部と前記操作レバーとは連結される構成で、前記爪部の前面と前記突片の後面との係合を解除するときには、前記操作レバーの操作により、前記爪部の前面を、前記突片の後面に対して引くことで、係合を解除する構成とする。
【０００９】
【発明の実施の形態】
これより、本発明に係る実施例を、コピー・ファクシミリ複合機の給紙装置１を参照しながら説明する。
図１はコピー・ファクシミリ複合機の斜視図、図２は給紙カセット１０の第１段階の引き出しを示す給紙装置１の斜視図、図３は給紙カセット１０の第２段階の引き出しを示す給紙装置１の斜視図、図４は同じく側面断面図、図５は本発明に係る給紙カセット１０の引き出し構成を示す側面断面図であり、同図（ａ）は給紙カセット１０のトレイ部分の引き出しを示す図であり、同図（ｂ）は給紙カセット１０の第１段階の引き出しを示す図であり、同図（ｃ）は給紙カセット１０の第２段階の引き出しを示す図、図６は本発明の第１実施例に係るストッパ機構２の側面図であって、同図（ａ）は通常状態を示す図であり、同図（ｂ）は操作レバーを操作した状態を示す図である。また、図７は本発明の第２実施例に係るストッパ機構２の側面図であって、同図（ａ）は通常状態を示す図であり、同図（ｂ）は操作レバーを操作した状態を示す図である。
【００１０】
尚、以下の説明において、図１に標す矢視方向（コピー・ファクシミリ複合機にあっては給紙トレイ１０・１０の把手側）を前方として、各構造体の前後左右方向を説明する。また、他の図面におけるその前後左右方向についても、図１に準ずるものとする。
【００１１】
図１に示すように、コピー・ファクシミリ複合機は、記録部４の上方に読取部３を配置して構成されている。
前記読取部３は、読取載置台６内に設けられた読取装置を走査させて静止原稿等を読み取るフラットベッドタイプのスキャナとして用いられるとともに、該読取装置を位置固定して、原稿を原稿押さえカバー７の一端に付設した自動原稿搬送装置（ＡＤＦ）８に給送しながら読み取りを行うシートフィードタイプのスキャナとして用いることができるように構成されている。
【００１２】
また、記録部４の下方には、給紙カセット１０・１０を上下二段（又は、複数段）に設けて構成した給紙装置１が配置されている。給紙カセット１０・１０内には、互いに用紙サイズが異なる用紙がそれぞれ堆積して貯留されており、該給紙カセット１０・１０の何れか一方から用紙を繰り出して記録部４へ給紙し、該用紙に記録を行なった後に記録済の用紙を排出トレイ５へ排出して、堆積するよう構成している。
【００１３】
次に、前記給紙装置１について説明する。
図２及び図３に示すように、給紙装置１は、主に給紙カセット１０・１０を上下に並設して構成されている。該給紙カセット１０は、上面が開放された略直方体形状に形成され、該給紙カセット１０における後半部には記録部４へ用紙を給送する給紙機構（以下、「ＦＤＲ」）１１が外嵌されている。
【００１４】
図４に示すように、前記ＦＤＲ１１は、給紙カセット１０内にセットされた用紙を記録部４へ給送する給送経路１１Ｒと、該給送経路１１Ｒを包囲して形成される枠体１１Ｂ・１１Ｂ・・・と、該用紙を給送経路１１Ｒ内で搬送するローラ等から成り、該給紙カセット１０を装置本体に収納したときには、該給送経路１１Ｒの出口１１ｂが、装置本体側に設けた記録部４への搬送経路４Ｒの入口４ａ、又は、その上方の給紙カセット１０のＦＤＲ１１の給送経路１１Ｒへの入口１１ａと連通するように配置構成されている。
また、前記ＦＤＲ１１の枠体１１Ｂ・１１Ｂ・・・は、それぞれ前後回動可能に構成されて、給送経路１１Ｒを開放することができ、装置前方側からのジャム処理等の作業を可能としている。
【００１５】
前記給紙カセット１０は２段階に引き出し可能で、図５の（ａ）で示すように、まず、平面視、「コ」字状に形成された給紙カセット本体１０Ｂに対し、給紙カセット１０の用紙トレイ部分１０Ｔのみが引き出され、その上で、図５の（ｂ）で示すように、該用紙トレイ部分１０Ｔ、及び本体１０Ｂが一体的にスライドし、給紙カセット１０がストッパ機構２によって摺動規制されるまでがその第１段階の引き出しであり、該第１段階の引き出しで用紙の補給等を行う。そして、図５の（ｃ）で示すように、ストッパ機構２を解除してさらに手前に引き出した状態がその第２段階であり、該第２段階の引き出しで、ＦＤＲ１１内でのジャム処理等が行えるように構成されている。
その機構を説明すると、給紙カセットは１０の用紙トレイ部分１０Ｔが、給紙カセット本体１０Ｂに対して、一定距離の引き出し可能な構成で、該用紙トレイ部分の外側面に、スライドレールを取り付け、一方、該スライドレールを案内するガイドレールを、平面視、「コ」字状の給紙カセット本体１０Ｂの内側面に取り付けて構成している。
また、前記給紙カセット本体１０Ｂの外側面に、スライドレール１４・１４を取り付け、一方、該スライドレール１４・１４のガイドレールを、装置本体における給紙カセット１０の収納スペース１Ｓの内側面に取り付けて構成し、また、該スライドレール１４・１４と該ガイドレールとの間に、中間ガイドレール１６・１６を介設して、該スライドレール１４・１４を中間ガイドレール１６・１６に嵌め、該中間ガイドレール１６・１６を該ガイドレールに嵌めて構成する。
【００１６】
但し、スライドレール１４・１４は中間ガイドレール１６・１６に対して摺動自在である一方、給紙カセット１０と該給紙カセット１０の収納スペース１Ｓとの間にストッパ機構２が設けられており、該ストッパ機構２によって、中間ガイドレール１６・１６は、装置本体に固定されるガイドレールに対して前方への摺動が規制される。
【００１７】
次に、前記ストッパ機構２の第１実施例について説明する。
図４及び図５に示すように、この第１実施例におけるストッパ機構２は、給紙カセット１０の収納スペース１Ｓ内における底面に凸設させた突片１７と、装置本体に対して可動する給紙カセット１０に取り付けられたストッパ機構本体２０とにより構成されている。
【００１８】
前記突片１７は、前記収納スペース１Ｓ底面における左端側であって、その前部位置に配設されている。
図６の（ａ）に示すように、該突片１７は、側面視、直角三角形状で、その後面１７ａは、給紙カセット１０の収納スペース１Ｓ底面に対して垂直な面とし、その前部は前方下方へ向けて傾斜する緩斜面１７ｂとして形成されている。
【００１９】
一方の前記ストッパ機構本体２０は、操作レバー２１、ロック部材２２、及びリンクアーム２３等を連結して構成されている。
その構成を詳述すると、まず、前記給紙カセット１０内における左端側に、「凹」字状のプレートの両側を折り曲げて加工した支持ケーシング２４を立設させ、そして、該支持ケーシング２４の上面前方の欠落部２４ａに操作レバー２１を挿設し、その下端部に回動支点軸２５を取り付けて、該支持ケーシング２４の両側面２４ｂ・２４ｂで軸支する。
【００２０】
また、前記ロック部材２２は、側面視、略「Ｎ」字を左右反転させた形状で、その水平部分２２ｂの前端に立設されたアーム部２２ａと、その後端に垂設された係合爪部２２ｃとを有し、該水平部分２２ｂの前端に回動支点軸２６を取り付けて、前記支持ケーシング２４の両側面２４ｂ・２４ｂで軸支する。
【００２１】
そして、前記操作レバー２１の上下中間位置と、前記ロック部材２２におけるアーム部２２ａの上端位置とをリンクアーム２３を介して連結する。ここで、符号２７は、該操作レバー２１と該リンクアーム２３との枢結点、符号２８は、該ロック部材２２と該リンクアーム２３との枢結点である。
【００２２】
また、前記操作レバー２１における枢結点２７のやや上方にスプリングバネ２９等による付勢手段を取り付け、該スプリングバネ２９の後端を支持ケーシング２４の内側面２４ｂに取り付ける。
【００２３】
前記係合爪部２２ｃの前面２２ｄは、前記水平部分２２ｂに対して垂直な面となる一方、該係合爪部２２ｃの後方下端は後方上方へ向けて切り欠かれ、傾斜面２２ｅが形成されている。
【００２４】
また、前記給紙カセット１０の底面には、前記ロック部材２２の係合爪部２２ｃ下端を出没させるための開口部１０ｂが設けられ、通常、前記スプリングバネ２９によりストッパ機構本体２０が付勢されて、該開口部１０ｂより該係合爪部２２ｃ下端を垂下された状態で、該係合爪部２２ｃの前面２２ｄが、給紙カセット１０の収納スペース１Ｓ底面の前記突片１７の後面１７ａに当接すると、給紙カセット１０はこれ以上前方へ引き出せないようになっている。
【００２５】
図５の（ｂ）で示すように、このロック部材２２の係合爪部２２ｃの前面２２ｄが、収納スペース１Ｓ内の前後中間位置の突片１７の後面１７ａに当接するまで給紙カセット１０が引き出された状態を、前記第１段階の引き出しとし、この状態で、用紙の補給等を行う。
【００２６】
そうして、前記操作レバー２１の把手２１ａを前方へ引くことで、図６の（ｂ）で示すように、側面視で、該操作レバー２１が回動支点軸２５を中心に、反時計方向に回動し、これによりリンクアーム２３が前方へ摺動回動して、ロック部材２２のアーム部２２ａが前方へ引っ張られ、該ロック部材２２が回動支点軸２６を中心に反時計方向に回動する結果、その係合爪部２２ｃが上昇して、該係合爪部２２ｃの前面２２ｄと、前記収納スペース１Ｓ内の突片１７の後面１７ａとの係合が解除される。
【００２７】
これにより給紙カセット１０をさらに引き出すことができ、図５の（ｃ）で示すように、前記スライドレール１４・１４が前記中間ガイドレール１６・１６の前端に設けたストッパにより規制され、さらに、該中間ガイドレール１６・１６が前記ガイドレールの前端に設けたストッパにより規制されるまで給紙カセット１０が引き出された状態を、前記第２段階の引き出しとし、主に紙詰まりが発生した場合に、該給紙カセット１０をこの第２段階まで引き出すのである。
尚、別構成として、前記収納スペース１Ｓ底面における左端側であって、その前端位置に、新たな突片１７を設けて、前記ロック部材２２の係合爪部２２ｃと、該突片１７とが当接するまで給紙カセット１０が引き出された状態を、第２段階の引き出しとしてもよい。
【００２８】
この状態では、図３に示すように、給紙カセット１０後部のＦＤＲ１１が、装置前面よりも前方へ引き出されているため、ユーザーは装置前方側より容易にＦＤＲ１１のメンテナンスを行うことができる。
このように、本実施例では、図２に示す給紙カセット１０の引き出しが半開状態となる第１段階の引き出しと、図３に示す全開状態となる第２段階の引き出しとに区別して、２段階に引き出す構成としている。
【００２９】
そして、前記ストッパ機構２を解除し、給紙カセット１０を第２段階まで引き出した後は、ユーザーは操作レバー２１から手を放しており、この状態では、図６の（ａ）で示すように、前記スプリングバネ２９が復元して、ストッパ機構本体２０は元の位置姿勢に復帰し、ロック部材２２の係合爪部２２ｃは、給紙カセット１０底面の開口部１０ｂより垂下された状態となっている。
【００３０】
そして、給紙カセット１０を収納する場合には、ストッパ機構２の解除は行う必要がなく、そのまま給紙カセット１０を押し込めば、前記ロック部材２２の係合爪部２２ｃの傾斜面２２ｅが、収納スペース１Ｓ内の突片１７の緩斜面１７ｂに案内されて、ロック部材２２が反時計方向に回動し、ストッパ機構本体２０は、該突片１７を容易に乗り越えて、給紙カセット１０は収納スペース１Ｓ内に収まるのである。
【００３１】
この構成では、ユーザーは、ストッパ機構２が実際に作用する係合爪部２２ｃと、突片１７とから離れた位置で操作レバー２１を操作することができ、給紙カセット１０を引き出す方向と、ストッパ機構２を解除する際に操作レバー２１を引き込む方向とが同方向であるため、操作レバー２１の操作方向がわかり易く、操作勝手がよい。
【００３２】
次に、前記ストッパ機構２の第２実施例について説明する。
図７の（ａ）に示すように、この第２実施例におけるストッパ機構２は、給紙カセット１０の収納スペース１Ｓの底面に設けた板バネ１９と、装置本体に対して可動する給紙カセット１０に取り付けられたストッパ機構本体２０とにより構成されている。
【００３３】
前記板バネ１９は、前記収納スペース１Ｓ底面における左端側であって、その前部位置に埋設されている。
該板バネ１９は、板状部材を折り曲げた形状で、側面視、略直角三角形状に形成された爪部１９ａと、該爪部１９ａの下端より前後水平に延設された基部１９ｂとから成る。
そして、給紙カセット１０の収納スペース１Ｓ下方に中空スペース１Ｔが設けられ、該収納スペース１Ｓと該中空スペース１Ｔとを連通させる。
符号１ｂは、両スペース１Ｓ・１Ｔを連通させた開口部であり、該中空スペース１Ｔ内に板バネ１９が収装されて、その基部１９ｂの前後端が支持され、通常、該板バネ１９の爪部１９ａは該開口部１ｂから突出させている。
【００３４】
この収納スペース１Ｓ側へ突出させた爪部１９ａは、その後面１９ｃを収納スペース１Ｓ底面に対して垂直な面とし、その後部上面１９ｄを水平面とし、その前部を前方下方へ向けて傾斜する緩斜面１９ｅとして配設され、該水平面１９ｄに上方から力が作用すると、板バネ１９は変形し、中空スペース１Ｔ内に没入する。
【００３５】
一方の前記ストッパ機構本体２０は、操作レバー２１、押圧部材２２’、及びリンクアーム２３等から成り、前記第１実施例におけるストッパ機構本体２０と略同様の構成で配設されている。
まず、前記給紙カセット１０内における左端側に、支持ケーシング２４を立設させ、該支持ケーシング２４の上面前方の欠落部２４ａに操作レバー２１を挿設し、その上下中間位置に回動支点軸２５を取り付けて、該支持ケーシング２４の両側面２４ｂ・２４ｂで軸支する。
【００３６】
また、側面視、略「Ｎ」字を左右反転させた形状の押圧部材２２’は、その水平部分２２’ｂの前端に立設されたアーム部２２’ａと、その後端に垂設された押圧部２２’ｃとを有し、該水平部分２２’ｂの前端に回動支点軸２６を取り付けて、前記支持ケーシング２４の両側面２４ｂ・２４ｂで軸支する。
【００３７】
そして、前記操作レバー２１の下端位置と、前記押圧部材２２’におけるアーム部２２’ａの上端位置とをリンクアーム２３を介して連結する。ここで、符号２７は、該操作レバー２１と該リンクアーム２３との枢結点、符号２８は、該押圧部材２２’と該リンクアーム２３との枢結点である。
【００３８】
また、前記操作レバー２１における回動支点軸２５のやや上方にスプリングバネ２９等による付勢手段を取り付け、該スプリングバネ２９の後端を支持ケーシング２４の内側面２４ｂに取り付ける。
【００３９】
また、前記給紙カセット１０の底面には、前記押圧部材２２’の押圧部２２’ｃ下端を出没させるための開口部１０ｂが設けられ、該開口部の直後方における給紙カセット１０の下面には突片１８が垂設されている。
【００４０】
前記突片１８は、側面視、直角三角形状で、その前面１８ａは、給紙カセット１０の下面に対して垂直な面とし、その後部は後方上方へ向けて傾斜する緩斜面１８ｂとして形成されている。
通常、前記スプリングバネ２９によりストッパ機構本体２０が付勢されて、前記押圧部材２２’の押圧部２２’ｃは前記開口部１０ｂ上方側の給紙カセット１０内に収納された状態で、前記板バネ爪部１９ａの後面１９ｃが、給紙カセット１０下面の前記突片１８の前面１８ａに当接すると、給紙カセット１０はこれ以上前方へ引き出せないようになっている。
【００４１】
前記収納スペース１Ｓ内における前後中間位置の板バネ爪部１９ａの後面１９ｃと、給紙カセット１０下面の突片１８の前面１８ａとが当接するまで給紙カセット１０が引き出された状態を、前記第１段階の引き出しとし、この状態で、用紙の補給等を行う。
【００４２】
そうして、前記操作レバー２１の把手２１ａを前方へ引くことで、図７の（ｂ）で示すように、側面視で、該操作レバー２１が回動支点軸２５を中心に、反時計方向に回動し、これによりリンクアーム２３が後方へ摺動回動して、押圧部材２２’のアーム部２２’ａが後方へ押され、該押圧部材２２’が回動支点軸２６を中心に時計方向に回動する結果、その押圧部２２’ｃが下降して、該押圧部２２’ｃの下面２２’ｄが板バネ爪部１９ａの後部上面１９ｄに当接し、板バネ１９を中空スペース１Ｔ内へ押し下げる。
こうして、前記板バネ爪部１９ａの後面１９ｃと、前記給紙カセット１０下面の突片１８の前面１８ａとの係合が解除される。
【００４３】
これにより給紙カセット１０をさらに引き出すことができ、前記スライドレール１４・１４が前記中間ガイドレール１６・１６の前端に設けたストッパにより規制され、さらに、該中間ガイドレール１６・１６が前記ガイドレールの前端に設けたストッパにより規制されるまで給紙カセット１０が引き出された状態を、前記第２段階の引き出しとし、主に紙詰まりが発生した場合に、該給紙カセット１０をこの第２段階まで引き出すのである。
尚、別構成として、前記収納スペース１Ｓ底面における左端側であって、その前端位置に、新たな板バネ１９を設けて、前記突片１８と、該板バネ１９とが当接するまで給紙カセット１０が引き出された状態を、第２段階の引き出しとしてもよい。
【００４４】
図３に示すように、この状態では、給紙カセット１０後部のＦＤＲ１１が、装置前面よりも前方へ引き出されているため、ユーザーは装置前方側より容易にＦＤＲ１１のメンテナンスを行うことができる。
このように、本実施例では、図２に示す給紙カセット１０の引き出しが半開状態となる第１段階の引き出しと、図３に示す全開状態となる第２段階の引き出しとに区別して、２段階に引き出す構成としている。
【００４５】
前記ストッパ機構２を解除し、給紙カセット１０を第２段階まで引き出した後は、ユーザーは操作レバー２１から手を放しており、この状態では、図７の（ａ）で示すように、前記スプリングバネ２９が復元して、ストッパ機構本体２０は元の位置姿勢に復帰し、押圧部材２２’の押圧部２２’ｃは、給紙カセット１０底面の開口部１０ｂの上方側に収納された状態となっている。
【００４６】
そして、給紙カセット１０を収納する場合には、ストッパ機構２の解除は行う必要がなく、そのまま給紙カセット１０を押し込めば、板バネ爪部１９ａの緩斜面１９ｅが、給紙カセット１０下面の突片１８の緩斜面１８ｂに案内されて、板バネ１９がやや沈み、ストッパ機構本体２０は、該板バネ爪部１９ａを容易に乗り越えて、給紙カセット１０は収納スペース１Ｓ内に収まるのである。
【００４７】
この構成でも、ユーザーは、ストッパ機構２が実際に作用する板バネ爪部１９ａと、突片１８とから離れた位置で操作レバー２１を操作することができ、また、給紙カセット１０を引き出す方向と、ストッパ機構２を解除する際に操作レバー２１を引き込む方向とが同方向であるため、操作レバー２１の操作方向がわかり易く、操作勝手がよい。
【００４８】
以上、本発明に係る実施例を２通り説明したが、勿論、これ以外の方法で本発明を実現してもよく、例えば、リンクアーム２３を廃止して、操作レバー２１と、ロック部材２２（又は押圧部材２２’）とを一体的に形成する等、特に、その構成については限定しない。
【００４９】
【発明の効果】
本発明は、以上のような構成とすることで、次のような効果を奏する。
すなわち、請求項１の発明では、給紙カセットが段階的に引き出されて、給紙機構のメンテナンス性の向上を図ることができる。
すなわち、給紙カセットがストッパ機構によって摺動規制されるまでがその第１段階の引き出し位置であり、該第１段階の引き出し位置で、用紙トレイが引き出され、且つ給紙機構が装置本体内に収納された状態で、用紙の補給等を行い、この状態からストッパ機構を解除すれば、給紙カセットを第２段階の引き出し位置までさらに引き出すことができ、このとき給紙機構も装置本体の前面よりも前方へ引き出されて、給紙機構の給送経路内で詰まった用紙を、装置前方側から容易に取り除くことができる。
【００５２】
また、請求項２の発明では、給紙カセットがストッパ機構によって摺動規制されるまでがその第１段階の引き出し位置であり、用紙トレイが引き出され、且つ給紙機構が装置本体内に収納された状態の第１段階の引き出し位置で用紙の補給等を行い、この状態から操作レバーの操作により押圧部で爪部を押圧して、爪部の前面を、突片の後面に対して押すことで、係合を解除すれば、給紙カセットを第２段階の引き出し位置までさらに引き出すことができ、ユーザーはこの給紙機構が装置本体の前面よりも前方へ引き出された状態の第２の引き出し位置で装置前方側より容易にメンテナンスを行うことができる。
【００５３】
そして、請求項３の発明では、給紙カセットがストッパ機構によって摺動規制されるまでがその第１段階の引き出し位置であり、用紙トレイが引き出され、且つ給紙機構が装置本体内に収納された状態の第１段階の引き出し位置で用紙の補給等を行い、この状態から操作レバーの操作により、爪部の前面を、突片の後面に対して引くことで、係合を解除すれば、給紙カセットを第２段階の引き出し位置までさらに引き出すことができ、ユーザーはこの給紙機構が装置本体の前面よりも前方へ引き出された状態の第２の引き出し位置で装置前方側より容易にメンテナンスを行うことができる。
【図面の簡単な説明】
【図１】コピー・ファクシミリ複合機の斜視図。
【図２】給紙カセット１０の第１段階の引き出しを示す給紙装置１の斜視図。
【図３】給紙カセット１０の第２段階の引き出しを示す給紙装置１の斜視図。
【図４】同じく側面断面図。
【図５】本発明に係る給紙カセット１０の引き出し構成を示す側面断面図。
【図６】本発明の第１実施例に係るストッパ機構２の側面図。
【図７】本発明の第２実施例に係るストッパ機構２の側面図。
【符号の説明】
１    給紙装置
２    ストッパ機構
１０    給紙カセット
１１    ＦＤＲ
１７    突片
１８    突片
１９    板バネ
２０    ストッパ機構本体
２１    操作レバー
２２    ロック部材
２２ｃ  係合爪部
２２’  押圧部材
２２’ｃ押圧部
２３    リンクアーム
【図１】
0003646646.tif 000002
【図２】
0003646646.tif 000003
【図３】
0003646646.tif 000004
【図４】
0003646646.tif 000005
【図５】
0003646646.tif 000006
【図６】
0003646646.tif 000007
【図７】
0003646646.tif 000008